(57)【要約】【課題】パッド、軟膏薬成分浸透抑制性のフィルム、ネットの構成を工夫することにより、パッド上に層着した軟膏薬のパッド下方への浸透や外側面への移動によるはみ出しを有効に抑制でき、またパッドと傷口との付着を有効に防止することができ、軟膏薬等の変性を来すことなく、軟膏薬を有効に患部に作用させることができる軟膏付救急用絆創膏を提供するにある。【解決手段】絆創膏の粘着シートの上面中央部にパッド部を設け、該パッド部のパッド上面に軟膏薬を層着し、前記粘着シートの前記パッド部が貼着されていない部分の上面には離型フィルムを剥離可能に貼着してなる軟膏付救急用絆創膏において、２枚以上のパッドを積層して前記パッド部を形成したことを特徴とする軟膏付救急用絆創膏。【選択図】図２
2005211647.tif 000002
【特許請求の範囲】
【請求項１】
絆創膏の粘着シートの上面中央部にパッド部を設け、該パッド部のパッド上面に軟膏薬を層着し、前記粘着シートの前記パッド部が貼着されていない部分の上面には離型フィルムを剥離可能に貼着してなる軟膏付救急用絆創膏において、２枚以上のパッドを積層すると共に、パッド間またはパッドと粘着シート間に第一のネットを介在させ、さらに前記パッドおよび第一のネットを、第二のネットで被覆して前記パッド部を形成したことを特徴とする軟膏付救急用絆創膏。
【請求項２】
下層のパッドの下面と、粘着シートとの間に、第一のネットを介在させたものである請求項１記載の軟膏付救急用絆創膏。
【請求項３】
２枚以上のパッドの、パッドとパッドとの間に第一のネットを介在させたものである請求項１又は２記載の軟膏付救急用絆創膏。
【請求項４】
２枚以上のパッドは同質の素材で構成されてあり、パッド間またはパッドと粘着シート間に第一のネットを介在させ、さらに前記パッドおよび第一のネットを、第二のネットで被覆して前記パッド部を形成したことを特徴とする請求項１乃至３のいずれか１項に記載の軟膏付救急用絆創膏。
【請求項５】
粘着シート上に、断面ドーム形状のブリスター部を形成してなる軟膏保護カバーを剥離可能に貼着したものである請求項１乃至４のいずれか１項に記載の軟膏付救急用絆創膏。
【発明の詳細な説明】
【技術分野】
【０００１】
本発明は、パッドを２枚以上積層し、かつネットを介在させるなど、パッド部の工夫を施すことにより、軟膏薬の浸透や漏出を効果的に抑制した軟膏付救急用絆創膏に関する。
【背景技術】
【０００２】
救急用絆創膏は種々のタイプのものが知られている。一般的に使用されている救急用絆創膏は、粘着シートの上面中央部に殺菌消毒液や創傷治療剤等の薬液を含浸、乾燥させたガーゼ等のパッドを貼着し、該パッドの上面を左右に分離可能な剥離紙で被覆した構造を有するものである。
この種の救急用絆創膏は、薬液が乾燥状態となっているために、創傷口等の患部を傷める虞があるばかりでなく、創傷口から分泌物が出ない限り、十分な殺菌、治療効果を得ることができない。
薬液封入カプセル体を備えた救急用絆創膏は、上記の課題を改善する目的で提案され、パッドの上面に薬液を封入してなるカプセル体を重ね合わせ、使用時に該カプセル体の上面壁を押圧することによってその上面壁の下面中央に突設した先鋭な突起でカプセル体の底面を構成しているアルミ箔製の薄膜を破壊し、カプセル体の薬液をパッド上に流出、含浸させるようにした構造のものが開発されている（たとえば特許文献１及び２参照）。
【０００３】
しかしながら、薬液封入カプセル体を備えた救急用絆創膏は、その製造に著しい工数と費用を要して高価となるばかりでなく、流動性の大なる薬液を使用しているために、使用に際してカプセル体下面の薄膜を破壊するとき薬液が飛散しやすくパッドに正確に含浸することができない場合、あるいはパッドが傾斜した状態で薄膜を破壊するとパッドの上面を伝って薬液の一部が外部に流出する虞があり、またカプセル体内に薬液の一部が残留した状態で破壊すると有効量が減少し、治療効果を弱めることになる。さらに、パッドの表面が創傷口に直接付着するために、取り外す際に創傷部を傷めたりする場合があり、かえって完治を遅らせてしまう難点があった。
【０００４】
このため、薬液に代わって、従来から発想はあったもののその実質的な実用化には至っていなかった軟膏薬をパッドに塗布した救急用絆創膏の提供が要望されているが、上面に軟膏薬を層着しているパッドを剥離紙によって被覆すると、粘着シートと剥離紙の隙間からの外気の影響によって軟膏薬が短時間で乾燥したり、成分が変化して効力を著しく減弱させる虞があり、例え完全に密封した場合においても携行中や使用に際して、剥離紙の表面に外圧が加わると軟膏薬が押し潰されてパッドからはみ出し、使用に供することができなくなる場合が生じると共に、剥離紙等を剥離した場合、剥離紙等の裏面に軟膏薬が転着して軟膏薬の有効量が減少する虞があった。
また、このような軟膏薬の変質や不測の外圧力による軟膏薬の押し潰しをなくするために、上記カプセル体に軟膏薬を封入すると、軟膏薬はカプセル体内壁面に付着しているので、該カプセル体を押圧変形して底面を構成しているアルミ箔製の薄膜を破壊しても多量の軟膏薬をパッド上に転着することは困難であった。
【０００５】
このような技術背景から、本発明者は、上面に軟膏薬を層着しているパッドを長方形状の粘着シートの上面中央部に貼着すると共に、この粘着シート上に中央部を上方に向かって緩やかな円弧状に膨出、成形することにより断面ドーム形状のブリスター部を形成してなる軟膏保護カバーを剥離可能に貼着して上記ブリスター部により上記パッドを該パッド上の上記軟膏薬とブリスター部の下面との間に隙間が存した状態で被覆してなる軟膏薬救急用絆創膏につき提案した（特許文献３参照）
【０００６】
【特許文献１】実開昭５８−０９２９２０号公報
【特許文献２】特開昭６３−１１４６２６号公報
【特許文献３】特開２００１−１０４３６７号公報
【発明の開示】
【発明が解決しようとする課題】
【０００７】
しかしながら、上記提案の軟膏付救急用絆創膏は、断面ドーム形状のブリスター部を形成した軟膏保護カバーを粘着シートに剥離可能に貼着し、かつ軟膏薬上に隙間を隔てて軟膏薬を覆うことにより、薬液カプセルを備えた救急用絆創膏が有する課題を悉く解消した点において優れた技術ではあるが、パッドの種類や形態、軟膏薬の成分や粘性等によっては、その軟膏薬の成分が経時的にパッドの下方にまで浸透し、粘着シートの上面の粘着剤層と接触乃至反応して、軟膏薬及び／又は粘着剤が変性を来たす虞があり、有効な殺菌、治療効果が得られないというさらに解決すべき課題があった。
また、薬液を軟膏薬に変えたとはいえ、軟膏薬をパッド上に単に層着しただけでは、パッド上の軟膏薬がパッドと共に直接皮膚の創傷口に当接することとなるために、治癒が進んだり、創傷面が乾燥すると創傷口とパッドとが付着する場合もあり、使用後剥離した時に傷口を広げたり、傷めてしまい、かえって完治を遅らせる懸念があった。
さらに、軟膏薬の成分がパッド下方に浸透したり、あるいは外側面に移動してはみ出したりすれば、軟膏付絆創膏を創傷面に、簡便にかつ確実に貼付することを困難にするばかりでなく、創傷面に供給されるべき軟膏薬の有効量が減少する問題があった。
【０００８】
本発明はこのような問題点に鑑みてなされたもので、その目的とするところは、軟膏薬成分の浸透を抑制するために、パッドやネットの構成を工夫することにより、パッド上に層着した軟膏薬のパッド下方への浸透や外側面への移動によるはみ出しを有効に抑制でき、またパッドと傷口との付着を有効に防止することができ、軟膏薬等の変性を来すことなく、軟膏薬を有効に患部に作用させることができる軟膏付救急用絆創膏を提供するにある。
【課題を解決するための手段】
【０００９】
かかる状況下、本発明者は上記目的を達成するために鋭意研究した結果、浸透性の高いパッドを上層とし浸透性の低いパッドを下層として２枚以上積層すると、軟膏薬が毛細管現象によってパッドの下方に浸透しても、上層のパッドと下層のパッドとの間に界面が形成されたことにより、軟膏薬の成分の下方への浸透が遅延することとなり、軟膏薬が変質したり、硬化するのを長期間に亘って防止することができることを突き止めた。
【００１０】
本発明者は、さらに鋭意検討した結果、軟膏薬成分の浸透性を抑制するものとして、薬剤成分難透過性フィルムを用いることなく、従来軟膏薬浸透抑制効果については着目されてはいなかった、ナイロン製などのネットをパッド間あるいはパッドと粘着テープ間に介在させることにより、予想外にも軟膏薬成分浸透抑制性のフィルムと同様の軟膏薬成分の浸透を抑制できるばかりでなく、膜性のフィルムを使用することがないのでパッド内の通気性をも改善しうることを知見して本発明を完成させるに至ったものである。
【００１１】
すなわち、本発明は、これらの知見に基づいて完成されたものであり、
１．絆創膏の粘着シートの上面中央部にパッド部を設け、該パッド部のパッド上面に軟膏薬を層着し、前記粘着シートの前記パッド部が貼着されていない部分の上面には離型フィルムを剥離可能に貼着してなる軟膏付救急用絆創膏において、２枚以上のパッドを積層すると共に、パッド間またはパッドと粘着シート間に第一のネットを介在させ、さらに前記パッドおよび第一のネットを、第二のネットで被覆して前記パッド部を形成したことを特徴とする軟膏付救急用絆創膏、
２．下層のパッドの下面と、粘着シートとの間に、第一のネットを介在させたものである上記１の軟膏付救急用絆創膏、
３．２枚以上のパッドの、パッドとパッドとの間に第一のネットを介在させたものである上記１又は２の軟膏付救急用絆創膏、
４．２枚以上のパッドは同質の素材で構成されてあり、パッド間またはパッドと粘着シート間に第一のネットを介在させ、さらに前記パッドおよび第一のネットを、第二のネットで被覆して前記パッド部を形成したことを特徴とする上記１乃至３のいずれか１の軟膏付救急用絆創膏、
５．粘着シート上に、断面ドーム形状のブリスター部を形成してなる軟膏保護カバーを剥離可能に貼着したものである請求項１乃至４のいずれか１項に記載の軟膏付救急用絆創膏、
６．粘着シート上に、断面ドーム形状のブリスター部を形成してなる軟膏保護カバーを剥離可能に貼着したものである上記１乃至５のいずれかの軟膏付救急用絆創膏、
７．軟膏保護カバーが、中央部を上方に向かって緩やかな円弧状に膨出、成形することにより断面ドーム形状のブリスター部に形成してなるものである上記１乃至６のいずれかの軟膏付救急用絆創膏、
８．ブリスター部が、平面矩形状に形成されてあり、その長辺側の両側壁部を下端から上方に向かって互いに接近する方向に傾斜した起立壁部を形成しているものである上記１乃至７のいずれかの軟膏付救急用絆創膏、
９．軟膏保護カバーが、上面に軟膏薬を装着しているパッド部を長方形状の粘着シート上に、四方周壁部が上記軟膏薬を層着したパッドの厚みより高く形成している平面矩形上のブリスター部を中央部に膨出、形成してなり、剥離可能に貼着して上記ブリスター部により上記パッド部を被覆したものである上記１乃至８のいずれかの軟膏付救急用絆創膏、
１０．ブリスター部が、その天井壁部にその長さ方向に平行な突条を上方に向かって膨出、形成しているものである上記１乃至１０のいずれかの軟膏付救急用絆創膏、
に関するものである。
【発明の効果】
【００１２】
請求項１の記載の発明によれば、創膏の粘着シートの上面中央部にパッド部を設け、該パッド部のパッド上面に軟膏薬を層着し、前記粘着シートの前記パッド部が貼着されていない部分の上面には離型フィルムを剥離可能に貼着してなる軟膏付救急用絆創膏において、前記パッド部を２枚以上のパッドを積層して形成するとともに、パッド間あるいはパッドと粘着テープとの間に第一のネットを介在させ、さらに前記パッドおよび第一のネットを第二のネットで被覆したパッド部とすることにより、断面ドーム形状の軟膏保護カバーを有する軟膏付救急用絆創膏だけでなく、該保護カバーのない、あるいは断面ドーム形状でない軟膏保護カバーを有する軟膏付救急用絆創膏であっても、パッド部に層着された絆創膏の成分がパッド部の下方に浸透するのを有効に抑制することが可能となる。
さらに、請求項２記載の発明によれば、下層のパッド部の下面と粘着シートとの間に介在させ、第二のネットでパッド部を被覆する構成とすることにより、軟膏薬の成分が下層パッドの下方にまで浸透しても粘着テープまでの浸透をネットの２重構造で遮断することが可能となるばかりでなく、粘着テープとの接触あるいは化学反応を有効に抑制するガードフィルムとしての機能も発揮する。
【００１３】
また、請求項３の発明によれば、２枚以上積層したパッドとパッドの間に１枚以上の第一のネットを介在させる構成とすることにより、該フィルムの作用により上層のパッドに層着した軟膏薬の成分が下層パッドに浸透するのを有効に抑制したり、軟膏薬成分の側面へ移動をも有効に抑制できるばかりでなく、下層パッドが一種のクッション性を示し、軟膏救急用絆創膏を皮膚に貼着するときソフトな感触を与える利点があり、またパッドと傷口との付着を防止し、剥離時傷口を痛める懸念もなく、かつ工業的に有利に製造できる。
【００１４】
またさらに、請求項４の発明によれば、同質のパッドを２枚以上積層し、そのパッド間及び／又は下層パッド下面に第一のネットを介在させ、かつパッド部周囲を第二のネットで被覆した構成とすることにより、前記の利点を有するほか、同質のパッドを２枚以上積層しても、軟膏薬成分の浸透抑制性を有効に抑制することができ、工業上高品質を維持しつつ安価に製造しうる利点をも有する。
【００１５】
請求項５の発明によれば、粘着シート上に、断面ドーム形状のブリスター部を形成してなる軟膏保護カバーを剥離可能に貼着した構成とすることにより、軟膏薬の浸透抑制等の前記の利点を有するほか、外気との接触を回避でき、またカプセル体などの使用を回避できるので、軟膏薬の変質や転着による有効量の減少等を有効に防止することができる。
本発明においては、軟膏保護カバーを、中央部を上方に向かって緩やかな円弧状に膨出、成形することにより断面ドーム形状のブリスター部に形成してなるものとすることにより、あるいはさらにブリスター部を平面矩形状に形成し、その長辺側の両側壁部を下端から上方に向かって互いに接近する方向に傾斜した起立壁部を形成しているものとすることにより、あるいはさらに軟膏保護カバーを、上面に軟膏薬を装着しているパッド部を長方形状の粘着シート上に、四方周壁部が上記軟膏薬を層着したパッドの厚みより高く形成している平面矩形上のブリスター部を中央部に膨出、形成し、剥離可能に貼着して上記ブリスター部により上記パッド部を被覆したものとすることにより、さらにはまたブリスター部を、その天井壁部にその長さ方向に平行な突条を上方に向かって膨出、形成したものとすることにより、前記の利点のほか、携行時の不測の押し潰しなどに強固に阻止することができる。
【発明を実施するための最良の形態】
【００１６】
本発明の具体的な実施の形態について図面に基づいて説明すると、図１〜図５において、救急用絆創膏１の基体となる粘着シート２は柔軟性を有する薄い合成樹脂製シート又は不織布、織布、紙等からなる一定幅と一定長さを有する矩形状のシート片の上面全面に粘着剤を層着してなり、この粘着剤層３は上記シート片の上面に粘着剤を塗布することによって形成されている。
さらに、この粘着シート２の上面中央部には、後に詳述する軟膏薬４を担持するパッド部５の下面を粘着剤層３に貼着させている。
【００１７】
さらに、上記粘着シート２上には軟膏保護カバー８が重ね合わされていて該軟膏保護カバー８の下面を粘着剤層３に剥離可能に貼着している。この軟膏保護カバー８は非通気性で且つ適度な剛性を有する塩化ビニル樹脂等の透明な合成樹脂製薄肉シートよりなり、上記粘着シート２と同一幅で且つ該粘着シートよりも長さが短い長方形状に形成されている。さらに、この軟膏保護カバー８の長さ方向の中央部の一定幅と一定長さ部分を上方に向かって緩やかな円弧状に膨出、成形することによって下端が全面的に開口したブリスター部８１に形成している。
【００１８】
この軟膏保護カバー８の両端部から突出している粘着シート２の両端部の粘着剤層３に離型フィルム９１、９２を剥離可能に貼着してあり、この離型フィルム９１、９２の内端部は軟膏保護カバー８の両端部下面に延設していて、該延設部を上方に折り返して重ね端部９１ａ、９２ａとし、該重ね端部９１ａ、９２ａ上に上記軟膏保護カバー８の両端部を載置させている。
【００１９】
パッド部５の形状を図２を用いてさらに詳述すると、パッド部５は、少なくとも２枚以上のパッド、図２では２枚のパッド５１、５２と、その最上層のパッド５１上に層着された軟膏薬４と、各パッドと平面ほぼ同一形状の、ナイロンなどの合成繊維あるいは天然繊維製であって、前記パッド５１、５２の間に介在させた第一のネット７１と、第一のネット７１とパッド部側面ほぼ全体を被覆する第二のネット７２とで構成され、該パッド部５の下面は粘着シート２の粘着剤層３上に貼着されている。
２枚以上積層している上層パッド５１、下層パッド５２は、それぞれガーゼ、脱脂綿、その他の織布、不織布、軟質プラスチック繊維あるいはこれらの積層体などを素材とし、矩形状であり、その幅は上記粘着シート２の幅よりも小幅に且つ長さも短く形成されている。
各パッド５１、５２は、異質の素材を使用し、軟膏薬４の成分の浸透抑制に強弱を与えることも可能であるが、同一素材の繊維を使用しても、パッドを２枚以上とし、そのパッド間に界面を設けることにより、軟膏薬４流動性成分の毛細管現象による浸透を抑制することが判明しており、むしろ同一素材を使用する方が高品質を維持したまま安価に製造できるので工業生産上も有利である。
【００２０】
さらに、図２において、２枚のパッド５１とパッド５２との間には、該パッド５１、５２と平面ほぼ同一形状の、紙製、プラスチック製等の軟膏薬浸透抑制用のネット７１を介在させてあり、上層パッド５１、ネット７１および下層パッド５２の下面両側部に亘ってネット７を被覆して該ネット７の両側面をパッド部５の両側面に熱溶着によって一体に固着してあり、このネット７上から上記軟膏薬４を一定量ネット７の網目７ａ（図示せず）を通じてパッド部５の上面に塗布することにより薄く層着している。従って、軟膏薬４はネット７の網目７ａに保持された状態となり、パッド５上を平面方向に流動する虞はない。
【００２１】
なお、ブリスター部８１を有する軟膏保護カバー８は、種々の形状とすることも可能であるが、特開２００１−１０４３６７号公報に記載の如く、平面矩形状で、中央部を上方に向かって緩やかな円弧状に膨出、成形することにより断面ドーム形状のブリスター部８１を形成し、該ブリスター部８１のその長辺側の両側壁部を下端から上方に向かって互いに接近する方向に傾斜した起立壁部を形成しており、かつ上面に軟膏薬を装着しているパッド部を長方形状の粘着シート上に、四方周壁部が上記軟膏薬を層着したパッド部５の厚みより高く形成し、剥離可能に貼着して上記ブリスター部８１により上記パッド部５を被覆した形状とするのが好ましい。該軟膏保護カバー、ブリスター部、起立壁部、パッド部５の被覆態様について同一となる場合のその態様の記述は当該特開２００１−１０４３６７号の記載が本発明の記載にそのまま引用される。
【００２２】
すなわち、図１および図２においては、典型的な軟膏保護カバー８の形状を示しており、ブリスター部８１で上記長方形状の粘着シート２の上面中央部に貼着しているパッド部５を被覆して該ブリスター部８１内に収納した状態でブリスター部８１の開口端の外周部下面を含む軟膏保護カバー８の下面を該軟膏保護カバー８の長さ方向の両端部下面を除いて粘着シート２の粘着剤層３に剥離可能に貼着してある。
この軟膏保護カバー８は非通気性でかつ適度な剛性を有する塩化ビニル樹脂等の透明な合成樹脂製薄肉シートよりなり、上記粘着シート２と同一幅でかつ該粘着シート２よりも長さの短い矩形状に形成されている。さらに、この軟膏保護カバー８の長さ方向の中央部の一定幅と一定長さ部分を上方に向かって緩やかな円弧状に膨出、成形することによって下端が全面的に開口した断面ドーム形状のブリスター部８１に形成している。
【００２３】
該ブリスター部８１の開口端の四方縁辺において、パッド部５よりも若干大きく設計されてあり、その開口部８２内収納可能に形成している。
さらに、このブリスター部８１の開口下端における長辺側においてはその両側を開口端の長縁辺から上方に向かって互いに接近する方向に傾斜した断面三日月形状の起立壁部に形成している。
また、該ブリスター部８１の天井壁部８４の高さは軟膏薬４を層着しているパッド部５の厚みよりも僅かに大きく形成されてあり、従ってブリスター部８１の開口端内に収納されているパッド部５上の粘着剤層３とブリスター部８１の天井壁部８４の下面との間には隙間が存在していて粘着剤層３はブリスター部８１の天井壁部８４の下面に付着しないように構成している。
【００２４】
このように構成した救急用絆創膏は、救急用絆創膏は、パッドを単に２枚積層するよりも、さらに軟膏薬４成分の下層パッド５２への浸透を有効に抑制するばかりでなく、下層パッド５２が、軟膏薬４成分が時により浸透した場合の含浸材として機能するほか、一種のクッション材ともなり、救急絆創膏を貼付すると、創傷口に対して適度な圧力で柔らかく押圧するので、傷口を傷めることなく治療できる利点をも有する。
【００２５】
次に、使用に際しては、まず、粘着シート２上から軟膏保護カバー８を剥離する。この時、軟膏保護カバー８の両端部は粘着シート２に貼着されておらず、その両端部と粘着シート２の両端部との間に離型フィルム９１、９２を介在させているので、一方の手の指先で粘着シート２の端部を摘み、他方の手の指先で軟膏保護カバー８の端部を摘んでこれらの端部を引き離すことにより、ワンタッチで軟膏保護カバー８を粘着シート２から剥離することができ、そのブリスター部８１によって被覆されていたパッド部を露出させることができる。次いで、粘着シート２の両端部から離型フィルム９１、９２を除去し、しかるのち、パッド部５上に層着している軟膏薬５を創傷口に当てがい、粘着シート２を皮膚面に貼着する。
【００２６】
図３、図４および図５は、本発明の別な実施例であって、別な形状に形成しているパッド部５を用いた救急用絆創膏を示している。
図３において、パッド部５Ａは、２枚のパッド５１とパッド５２との間に第一のネット７１ａを介在させ、下層パッド５２と粘着テープ１との間にはさらに他の第一のネット７１ｂを介在させてあり、さらに上層パッド５１、第一のネット７１ａ、下層パッド５２および他の第一のネットの下面両側部に亘って、第二のネット７２を被覆して該ネット７２の両側面をパッド部５の両側面に熱溶着によって一体に固着してあり、このネット７２上から上記軟膏薬４を一定量第二ネット７２の網目６２ａ（図示せず）を通じてパッド部５の上面に塗布することにより薄く層着している。従って、軟膏薬４は第二ネット７２の網目に保持された状態となり、パッド５上を平面方向に流動する虞はない。
図４のパッド部５Ｂは、上層パッド５１、下層パッド５２と２枚のパッドを積層し、平面形状がパッド５１、５２とほぼ同一で、軟膏薬４の成分の浸透を抑制する第一のネット７１を、下層パッド５２と粘着シート２との間に介在させる構成としている。上層パッド５１、下層パッド５２、該第一のネット７１の下面両側部に亘って第二のネット７２を被覆して該ネット７２の両側面をパッド部５Ｂの両側面に熱溶着によって一体に固着してあり、このネット７２上から上記軟膏薬４を一定量ネット７２の網目６ａ（図示せず）を通じてパッド部５Ｂの上面に塗布することにより薄く層着している。このように形成しているパッド部５Ｂを備えた救急用絆創膏のその他の構造は、上記実施例と同様であるので、同一部分に同一符号を付してその詳細な説明は省略する。
【００２７】
このパッド５Ｂは、パッド５１とパッド５２との間に形成された界面の存在により軟膏薬４の成分が、下層パッド５２に浸透しがたくなっており、例えさらに下層パッド５２まで浸透しても、第一のネット７１が下層パッド５２と粘着シートとの間にネット７２を介して挟持され、十分に距離があるので、軟膏薬４の成分が粘着シート２の粘着剤２と接触して変質することはない。
【００２８】
図５のパッド部５Ｃは、上層パッド５１、下層パッド５２と２枚のパッドを積層し、軟膏薬４の成分の浸透を抑制する第一のネット７１を上層パッド５１と下層パッド５２との間に介在させると共に、平面同一形状の、例えば平面同一形状の、紙製、プラスチック製で、有孔の膜体であってもよい軟膏薬浸透抑制用のフィルム６を下層パッド５２と粘着シート２との間に介在させ、さらに上層パッド５１、第一のネット７１、下層パッド５２、および軟膏薬浸透抑制性のフィルム６を、ネット７２の下面両側部に亘ってネット７２を被覆して該ネット７２の両側面をパッド部５の両側面に熱溶着によって一体に固着してあり、このネット７２上から上記軟膏薬４を一定量ネット７２の網目６２ａ（図示せず）を通じてパッド部５の上面に塗布することにより薄く層着している。このように形成しているパッド部５Ｃを備えた救急用絆創膏のその他の構造は、上記実施例と同様であるので、同一部分に同一符号を付してその詳細な説明は省略する。
パッド部５Ｃは、上層パッド５１と下層パッドとの間に第一のネット７１を介在させるときは、軟膏薬浸透抑制性のフィルム６を粘着シート２と下層パッド５２との間に介在させる構成とすることもでき、軟膏薬４の成分の浸透性を確実に抑制し、かつ下層パッドのクッション性、粘着剤２との接触回避も十分に図ることができることを示している。
【図面の簡単な説明】
【００２９】
【図１】本発明軟膏付救急用絆創膏の分解した斜視図
【図２】本発明軟膏付救急用絆創膏の分解した平面図および縦断断面図
【図３】本発明軟膏付救急用絆創膏一実施例の分解した平面図および縦断断面図
【図４】本発明軟膏付救急用絆創膏一実施例の分解した平面図および縦断断面図
【図５】本発明軟膏付救急用絆創膏一実施例の分解した平面図および縦断断面図
【符号の説明】
【００３０】
１    絆創膏
２    粘着シート
３    粘着剤層
４    軟膏薬
５    パッド部
５１    上層パッド
５２    下層パッド
６    軟膏薬４成分浸透抑制性のフィルム
８１    ブリスター部
９１    第一の離型フィルム
９２    第二の離型フィルム
【図１】
2005211647.tif 000003
【図２】
2005211647.tif 000004
【図３】
2005211647.tif 000005
【図４】
2005211647.tif 000006
【図５】
2005211647.tif 000007